【事件の表示】
　特願２０１１−　４３７９２「計数機」拒絶査定不服審判事件〔平成２３年　６月　２日出願公開、特開２０１１−１０４４１１〕について、次のとおり審決する。
【結　論】
　本件審判の請求は、成り立たない。
【理　由】
１．手続の経緯
　本願は、平成２０年３月４日に出願した特願２００８−５３９９０号の一部を平成２３年３月１日に新たな特許出願としたものであって、同年９月３０日付け（発送：１０月４日）で拒絶査定され、これに対し、平成２４年１月４日に拒絶査定不服審判の請求がなされ、同日付けで手続補正がなされ、当審において、同年４月１２日付け（発送：４月１７日）で審査官の前置報告書に基づく審尋を行い、同年６月１３日付けで回答書が提出されたものである。 
　
２．平成２４年１月４日付けの手続補正についての補正却下の決定
［補正却下の決定の結論］
　平成２４年１月４日付けの手続補正（以下「本件補正」という。）を却下する。
　
［理由］
（１）補正後の本願発明
　本件補正は、補正前の請求項１〜３に記載された
「【請求項１】
　計数するための遊技媒体を貯留する貯留部と、前記貯留部の上部に設けられ、タッチパネルからなる表示部を有する計数機であって、
　前記貯留部と前記表示部との間に遊技媒体を投入するための空間を有し、
　遊技客が所持する会員用記録媒体を挿入する挿入口を前記表示部の近傍の位置に配置し、該遊技客が所持する携帯端末に内蔵されたＩＣチップから携帯端末識別情報を取得する情報取得装置を前記挿入口の側部の近傍位置に設け、
　計数後に返却する余り玉を取り出す遊技媒体払出部を前記計数機の前面の片側よりに備え、
　前記情報取得装置は、前記遊技媒体払出部と反対側の位置に配置される
　ことを特徴とする計数機。
【請求項２】
　前記挿入口を前記表示部の下部の位置に配置し、前記情報取得装置を前記挿入口の外側であって、前記表示部の斜め下方の位置に併設したことを特徴とする請求項１に記載の計数機。
【請求項３】
　全体制御を行う制御手段を備え、
　前記制御手段は、前記情報取得装置で携帯端末を受け付けたことに基づいて、前記表示部に表示制御を行う
　ことを特徴とする請求項１又は２に記載の計数機。」
という発明を、
「【請求項１】
　計数するための遊技媒体を貯留する貯留部と、前記貯留部の上部に設けられ、タッチパネルからなる表示部を有する計数機であって、
　前記貯留部と前記表示部との間に遊技媒体を投入するための空間を有し、
　遊技客が所持する会員用記録媒体を挿入する挿入口を前記表示部の近傍の位置に配置し、該遊技客が所持する携帯
電話
電話
　計数後に返却する余り玉を取り出す遊技媒体払出部を前記計数機の前面の片側よりに備え、
　前記情報取得装置は、前記遊技媒体払出部と反対側の位置に配置され
、
　
全体制御を行う制御手段を備え、
　
前記制御手段は、前記情報取得装置で携帯電話を受け付けたことに基づいて、前記表示部に表示制御を行うとともに、前記情報取得装置により前記携帯電話識別情報が取得され、かつ、遊技客による貯遊技媒体操作がなされたならば、計数結果である遊技媒体数の貯遊技媒体処理を貯遊技媒体を管理する管理装置に依頼する
　ことを特徴とする計数機。
【請求項２】
　前記挿入口を前記表示部の下部の位置に配置し、前記情報取得装置を前記挿入口の外側であって、前記表示部の斜め下方の位置に併設したことを特徴とする請求項１に記載の計数機。」
という発明に変更することを含むものである（下線部は補正箇所を示す。）。
　
（２）補正の適否
　本件補正は、特許請求の範囲について、以下に挙げる補正事項を含むものである。
（ａ）補正前の請求項１における「該遊技客が所持する携帯端末に内蔵されたＩＣチップから携帯端末識別情報を取得する情報取得装置」という事項を、
　「該遊技客が所持する携帯
電話
電話
　
（ｂ）補正前の請求項１における「前記情報取得装置は、前記遊技媒体払出部と反対側の位置に配置される
　こと」という事項を、
　「前記情報取得装置は、前記遊技媒体払出部と反対側の位置に配置され
、
全体制御を行う制御手段を備え、
　
前記制御手段は、前記情報取得装置で携帯電話を受け付けたことに基づいて、前記表示部に表示制御を行うとともに、前記情報取得装置により前記携帯電話識別情報が取得され、かつ、遊技客による貯遊技媒体操作がなされたならば、計数結果である遊技媒体数の貯遊技媒体処理を貯遊技媒体を管理する管理装置に依頼する
　こと」とすると共に、
　請求項３を削除する補正。
　
上記補正事項についてそれぞれ検討する。
　補正事項（ａ）については、「携帯端末」という記載を、「携帯端末」の一種である「携帯電話」に具体的に特定するものであるから、限定的減縮を目的とするものに該当する。
　
　補正事項（ｂ）については、補正前の請求項１を引用する請求項３を補正後の請求項１とすると共に、「制御手段」の制御内容を具体的に特定するものであるから、限定的減縮を目的とするものに該当する。
　
　したがって、本件補正は、特許法１７条の２第５項２号の特許請求の範囲の減縮を目的とするものに該当する。 
　
　そこで、本件補正後の請求項１に記載された発明(以下、「本願補正発明」という。)が、特許出願の際独立して特許を受けることができるものであるか（平成２３年法律６３号改正附則２条１８項によりなお従前の例によるとされる同法による改正前の特許法１７条の２第６項において準用する同法１２６条５項の規定に適合するか）について以下に検討する。
　
（３）引用文献に記載された事項
　原査定の拒絶の理由（平成２３年６月２９日付け拒絶理由通知）において引用文献１として引用された特開２００７−２８２６６２号公報（以下、「引用例１」という。）には、図面とともに、以下の事項が記載されている。　なお、下線は当審で付した。また、「獲得玉投入口３０ａ」「獲得玉投入口３３ａ」という記載が混在しているが、【図５】には「獲得玉投入口３０ａ」と記載されているので、当審で段落【００８９】の「獲得玉投入口３３ａ」は「獲得玉投入口３０ａ」の誤記と認めた。
　
（ア）「【００８５】
　次にパチンコ玉計数機３０について説明する。パチンコ玉計数機３０は遊技媒体計数機の一例であって、遊技場内の所定箇所（例えば遊技島の端部等）に設けられ、携帯電話５又は会員カード４の受付に基づいて貯玉処理を行うものである。このパチンコ玉計数機３０は、計数機ＩＤにより該パチンコ玉計数機３０を個々に識別可能とされている。
【００８６】
　この
パチンコ玉計数機３０は、
その上面に獲得玉投入口３０ａ，携帯電話近接部３５ａ，ディスプレイ３７，及び確認ボタン３８を備え、その前面に会員カード挿入口３４ａ
を備え、その内部に通信部３１，制御部３２，獲得玉カウンタ３３，会員カードリーダ３４，携帯電話リーダ３５
を備えており、
【００８７】
　通信部３１は、管理装置５０の後述する場内通信部５１ａと通信可能に接続されており、パチンコ玉計数機３０と管理装置５０との間における通信を司るものである。ここで通信部３１は加算要求送信手段の一例であって、携帯電話リーダ３５により受け付けた携帯電話５から取得した会員ＩＤ，又は会員カードリーダ３４により受け付けた会員カード４から読み取った会員ＩＤに対応付けて管理装置５０で管理されている貯玉数に対する、獲得玉カウンタ３３により計数したパチンコ玉数である獲得玉数（以下「計数値」とも称する。）の加算を要求する加算要求を、管理装置５０に対して送信するものであり、ここでは確認ボタン３８が操作されたことに基づいて、携帯電話５から取得した会員ＩＤと獲得玉カウンタ３３により計数した計数値とを含む加算要求，又は会員カード４から読み取った会員ＩＤと獲得玉カウンタ３３により計数した計数値とを含む加算要求を送信する。この通信部３１から送信される情報には、該情報の送信元であるパチンコ玉計数機３０を特定可能なように、制御部３２のＥＥＰＲＯＭに記憶されている前記計数機ＩＤが含まれる。
【００８８】
　
制御部３２は、
パチンコ玉計数機３０に備えられる各構成要素の動作を制御して各種の処理を行うものである
【００８９】
　獲得玉カウンタ３３は遊技媒体計数手段の一例であって、
獲得玉投入口３３ａからパチンコ玉の投入を受け付けて、該受け付けたパチンコ玉を計数する
【００９０】
　
会員カードリーダ３４は
会員カード挿入口３４ａから挿入された会員カード４を受け付けて、該会員カード４のＩＣチップに記録されている会員ＩＤを読み取るものである
【００９１】
　携帯電話リーダ３５は記録媒体受付手段の一例であって、携帯電話５を受け付けて、該受け付けた携帯電話５から会員ＩＤを取得するものである。具体的には、
携帯電話リーダ３５は、「ケイタイ　ＴＯＵＣＨ」と表示されている携帯電話近接部３５ａを中心とした半球型の空間に向けて、携帯電話５のＩＣチップにアクセスするための電磁波を発信しており、携帯電話５が携帯電話近接部３５ａに近接される（かざされる）ことにより当該空間に入ってくると、該携帯電話５のＩＣチップから、
会員ＩＤを取得する
（イ）「【０１１６】
　また
会員情報ＤＢでは、貯玉処理が行われたパチンコ玉計数機３０から送信されてくる、会員ＩＤと獲得玉数とを含む加算要求を管理装置５０が受信すると、
該会員ＩＤに対応付けて記憶されている貯玉数に対して該獲得玉数が加算更新される
（ウ）「【０１４２】
　次に図１０〜図１２を参照して、第１実施形態に係るパチンコ玉計数機３０の作用について説明する。まず
パチンコ玉計数機３０は、
獲得玉の投入を待機しており、獲得玉投入口３０ａから獲得玉が投入されると、該投入された獲得玉が獲得玉カウンタ３３により計数され、
計数値がディスプレイ３７の計数値表示領域３７ｂに表示され
【０１４３】
　一方、
パチンコ玉計数機３０では、
携帯電話５の受付（Ｓ３０１），会員カード４の受付（Ｓ３０２），又は確認ボタン３８の操作（Ｓ３０３）を待機し
【０１４４】
　このＳ３０１で携帯電話５の受付が有る（ＹＥＳ）、即ち
携帯電話近接部３５ａに携帯電話５が近接されたと判定された場合には、携帯電話リーダ３５により、該受け付けた携帯電話５から会員ＩＤを取得すると共に、バイブレータの起動信号を該携帯電話５に対して送信して、遊技者識別情報記憶手段である制御部３２のＲＡＭに会員ＩＤの記憶が有るか否かを判定する
【０１４５】
　このＳ３１１で
会員ＩＤの記憶が無い（ＮＯ）と判定された場合には、遊技者識別情報記憶手段（制御部３２のＲＡＭ）により、Ｓ３０１で受け付けた携帯電話５から取得した会員ＩＤを記憶し
（エ）「【０１６９】
　図１０に戻り、前記Ｓ３０３で
確認ボタン３８の操作が有る（ＹＥＳ）と判定された場合には、獲得玉カウンタ３３により計数された計数値が有るか否かを判定する
計数値が有る（ＹＥＳ）と判定された場合には、獲得玉カウンタ３３による計数中であるか否かを判定する
計数中でない（ＮＯ）、即ち計数が完了していると判定された場合には、
【０１７０】
　Ｓ３３３では、
遊技者識別情報記憶手段である制御部３２のＲＡＭに会員ＩＤの記憶が有るか否かを判定する
会員ＩＤの記憶が有る（ＹＥＳ）と判定された場合には、加算要求送信手段により、制御部３２のＲＡＭで記憶している会員ＩＤと計数値とを含む加算要求を管理装置５０に対して送信し
【０１７１】
　一方、Ｓ３３３で会員ＩＤの記憶が無い（ＮＯ）と判定された場合には、会員カードリーダ３４により会員カード４の挿入を受付中であるか否かを判定する（Ｓ３３６）。このＳ３３６で会員カード４を受付中である（ＹＥＳ）と判定された場合には、加算要求送信手段により、該受付中の会員カード４から取得した会員ＩＤと計数値とを含む加算要求を管理装置５０に対して送信し（Ｓ３３７）、会員カードリーダ３４に挿入されている会員カード４を排出する処理を行って（Ｓ３３８）、Ｓ３０１に戻る。
【０１７２】
　一方、Ｓ３３６で会員カード４を受付中でない（ＮＯ）と判定された場合には、遊技者が会員登録を行っていないビジタであるので、前記計数カード発行処理を行って（Ｓ３３９）、Ｓ３０１に戻る。なお遊技場内の景品カウンタに設けられた景品交換コンピュータ（図示外）において、該計数カード発行処理により発行された計数カードが受け付けられると、該景品交換コンピュータの計数カードリーダにより計数カードから読み取った計数カードＩＤ及び計数値が、管理装置５０に対して送信される。該管理装置５０においては、送信されてきた計数カードＩＤ及び計数値と、ハードディスク５３で記憶している計数カードＩＤ及び計数値との照合が行われ、照合ＯＫであれば、その旨が景品交換コンピュータに対して返信される。景品交換コンピュータにおいては、該照合ＯＫが返信されてきたことに基づいて、計数カードから読み取った計数値の範囲内で景品交換が可能となる。」
（オ）「【０１８９】
　上記の実施形態では、図３のＤ２に示すように、会員登録済の
遊技者が携帯電話５でも会員登録を行う
遊技者に対して
発行されている会員カード４
（カ）図５には、段落【００８９】の記載を考慮すると、
獲得玉投入口３０ａ、獲得玉カウンタ３３の上方には、計数するために投入されたパチンコ玉を貯留する貯留部が設けられ
　
　以上、上記（ア）ないし（カ）の記載及び図面の記載を総合すると、引用例１には、
「パチンコ玉計数機３０は、その上面に獲得玉投入口３０ａ，携帯電話近接部３５ａ，ディスプレイ３７，及び確認ボタン３８を備え、その前面に会員カード挿入口３４ａを備え、その内部に通信部３１，制御部３２，獲得玉カウンタ３３，会員カードリーダ３４，携帯電話リーダ３５を備えており、
　獲得玉投入口３０ａ、獲得玉カウンタ３３の上方には、計数するために投入されたパチンコ玉を貯留する貯留部が設けられ、
　会員カードリーダ３４は、会員カード挿入口３４ａから挿入された遊技者に対して発行されている会員カード４を受け付けて、該会員カード４のＩＣチップに記録されている会員ＩＤを読み取るものであり、
　携帯電話リーダ３５は、「ケイタイ　ＴＯＵＣＨ」と表示されている携帯電話近接部３５ａを中心とした半球型の空間に向けて、遊技者が会員登録を行った携帯電話５のＩＣチップにアクセスするための電磁波を発信しており、携帯電話５が携帯電話近接部３５ａに近接される（かざされる）ことにより当該空間に入ってくると、該携帯電話５のＩＣチップから、会員ＩＤを取得するものであり、
　制御部３２は、パチンコ玉計数機３０に備えられる各構成要素の動作を制御して各種の処理を行うものであり、
　パチンコ玉計数機３０は、獲得玉の投入を待機しており、獲得玉投入口３０ａから獲得玉が投入されると、該投入された獲得玉が獲得玉カウンタ３３により計数され、計数値がディスプレイ３７の計数値表示領域３７ｂに表示され、
　パチンコ玉計数機３０では、携帯電話５の受付（Ｓ３０１），会員カード４の受付（Ｓ３０２），又は確認ボタン３８の操作（Ｓ３０３）を待機し、
　携帯電話近接部３５ａに携帯電話５が近接されたと判定された場合には、携帯電話リーダ３５により、該受け付けた携帯電話５から会員ＩＤを取得すると共に、バイブレータの起動信号を該携帯電話５に対して送信して、遊技者識別情報記憶手段である制御部３２のＲＡＭに会員ＩＤの記憶が有るか否かを判定し、
　会員ＩＤの記憶が無い（ＮＯ）と判定された場合には、遊技者識別情報記憶手段（制御部３２のＲＡＭ）により、受け付けた携帯電話５から取得した会員ＩＤを記憶し、
　確認ボタン３８の操作が有る（ＹＥＳ）と判定された場合には、獲得玉カウンタ３３により計数された計数値が有るか否かを判定し、計数値が有る（ＹＥＳ）と判定された場合には、獲得玉カウンタ３３による計数中であるか否かを判定し、計数中でない（ＮＯ）、即ち計数が完了していると判定された場合には、遊技者識別情報記憶手段である制御部３２のＲＡＭに会員ＩＤの記憶が有るか否かを判定し、会員ＩＤの記憶が有る（ＹＥＳ）と判定された場合には、加算要求送信手段により、制御部３２のＲＡＭで記憶している会員ＩＤと計数値とを含む加算要求を管理装置５０に対して送信し、
　会員情報ＤＢでは、貯玉処理が行われたパチンコ玉計数機３０から送信されてくる、会員ＩＤと獲得玉数とを含む加算要求を管理装置５０が受信すると、該会員ＩＤに対応付けて記憶されている貯玉数に対して該獲得玉数が加算更新される、パチンコ玉計数機３０。」の発明が開示されていると認めることができる（以下、この発明を「引用発明」という。）。
　
（４）対比
　引用発明の「パチンコ玉」は本願補正発明の「遊技媒体」に相当する。以下同様に、
「ディスプレイ３７」は「表示部」
「パチンコ玉計数機３０」は「計数機」
「遊技者」は「遊技客」に、
「会員カード挿入口３４ａ」は「挿入口」に、
「携帯電話リーダ３５」は「情報取得装置」に、
「会員ＩＤ」は「携帯電話識別情報」に、
「制御部３２」は「制御手段」に、
「貯玉処理」は「貯遊技媒体処理」に、
「管理装置５０」は「管理装置」に、相当する。
　
　さらに、引用例１の記載等からみて、以下のことがいえる。
　
ａ．引用発明のパチンコ玉計数機３０は、その上面に獲得玉投入口３０ａ，携帯電話近接部３５ａ，ディスプレイ３７，及び確認ボタン３８を備え、その前面に会員カード挿入口３４ａを備え、その内部に通信部３１，制御部３２，獲得玉カウンタ３３，会員カードリーダ３４，携帯電話リーダ３５を備えており、
　獲得玉投入口３０ａ、獲得玉カウンタ３３の上方には、計数するために投入されたパチンコ玉を貯留する貯留部が設けられ、
　会員カードリーダ３４は、会員カード挿入口３４ａから挿入された遊技者に対して発行されている会員カード４を受け付けて、該会員カード４のＩＣチップに記録されている会員ＩＤを読み取るものであり、
　携帯電話リーダ３５は、「ケイタイ　ＴＯＵＣＨ」と表示されている携帯電話近接部３５ａを中心とした半球型の空間に向けて、遊技者が会員登録を行った携帯電話５のＩＣチップにアクセスするための電磁波を発信しており、携帯電話５が携帯電話近接部３５ａに近接される（かざされる）ことにより当該空間に入ってくると、該携帯電話５のＩＣチップから、会員ＩＤを取得するものであるから、
　引用発明は、本願補正発明と「計数するための遊技媒体を貯留する貯留部と」、「表示部を有する計数機であって」、
　「遊技客が所持する会員用記録媒体を挿入する挿入口」と、「該遊技客が所持する携帯電話に内蔵されたＩＣチップから携帯電話識別情報を取得する情報取得装置を」「設け」た点で共通しているといえる。
　
ｂ．引用発明のパチンコ玉計数機３０の制御部３２は、パチンコ玉計数機３０に備えられる各構成要素の動作を制御して各種の処理を行うものであり、
　携帯電話近接部３５ａに携帯電話５が近接されたと判定された場合には、携帯電話リーダ３５により、該受け付けた携帯電話５から会員ＩＤを取得すると共に、バイブレータの起動信号を該携帯電話５に対して送信して、遊技者識別情報記憶手段である制御部３２のＲＡＭに会員ＩＤの記憶が有るか否かを判定し、
　会員ＩＤの記憶が無い（ＮＯ）と判定された場合には、遊技者識別情報記憶手段（制御部３２のＲＡＭ）により、受け付けた携帯電話５から取得した会員ＩＤを記憶し、
　確認ボタン３８の操作が有る（ＹＥＳ）と判定された場合には、獲得玉カウンタ３３により計数された計数値が有るか否かを判定し、計数値が有る（ＹＥＳ）と判定された場合には、獲得玉カウンタ３３による計数中であるか否かを判定し、計数中でない（ＮＯ）、即ち計数が完了していると判定された場合には、遊技者識別情報記憶手段である制御部３２のＲＡＭに会員ＩＤの記憶が有るか否かを判定し、会員ＩＤの記憶が有る（ＹＥＳ）と判定された場合には、加算要求送信手段により、制御部３２のＲＡＭで記憶している会員ＩＤと計数値とを含む加算要求を管理装置５０に対して送信し、
　会員情報ＤＢでは、貯玉処理が行われたパチンコ玉計数機３０から送信されてくる、会員ＩＤと獲得玉数とを含む加算要求を管理装置５０が受信すると、該会員ＩＤに対応付けて記憶されている貯玉数に対して該獲得玉数が加算更新されるものであると共に、
　制御部３２のＲＡＭに会員ＩＤの記憶が有る判定された場合、確認ボタン３８の操作があると貯玉数に対して獲得玉数を加算更新する要求をするから、制御部３２のＲＡＭに会員ＩＤの記憶が有る場合の確認ボタン３８の操作は、貯遊技媒体操作であるといえるから、
　引用発明は、本願補正発明と「全体制御を行う制御手段を備え、
　前記制御手段は、前記情報取得装置で携帯電話を受け付けたことに基づいて、前記情報取得装置により前記携帯電話識別情報が取得され、かつ、貯遊技媒体操作がなされたならば、計数結果である遊技媒体数の貯遊技媒体処理を貯遊技媒体を管理する管理装置に依頼する計数機。」である点で共通しているといえる。
　
　以上のことから、引用発明と本願補正発明は、
＜一致点＞
「計数するための遊技媒体を貯留する貯留部と、表示部を有する計数機であって、
　遊技客が所持する会員用記録媒体を挿入する挿入口と、該遊技客が所持する携帯電話に内蔵されたＩＣチップから携帯電話識別情報を取得する情報取得装置を設け、
　全体制御を行う制御手段を備え、
　前記制御手段は、前記情報取得装置で携帯電話を受け付けたことに基づいて、前記情報取得装置により前記携帯電話識別情報が取得され、かつ、貯遊技媒体操作がなされたならば、計数結果である遊技媒体数の貯遊技媒体処理を貯遊技媒体を管理する管理装置に依頼する計数機。」である点で一致し、以下の点で相違している。
　
＜相違点１＞
　表示部に関して、
　本願補正発明は、「前記貯留部の上部に設けられ、タッチパネルからなる表示部」であるのに対して、
　引用発明は、ディスプレイ３７がこのような配置であるか不明であると共に、タッチパネルでない点。
　
＜相違点２＞
　本願補正発明は、「前記貯留部と前記表示部との間に遊技媒体を投入するための空間を有し」ているのに対して、
　引用発明は、貯留部とディスプレイ３７の配置がこのような配置でないため、このような構成でない点。
　
＜相違点３＞
　本願補正発明は、「遊技客が所持する会員用記録媒体を挿入する挿入口を前記表示部の近傍の位置に配置し、該遊技客が所持する携帯電話に内蔵されたＩＣチップから携帯電話識別情報を取得する情報取得装置を前記挿入口の側部の近傍位置に設け」ているのに対して、
　引用発明は、会員カード挿入口３４ａ、ディスプレイ３７、携帯電話リーダ３５の配置がこのような配置でない点。
　
＜相違点４＞
　本願補正発明は、「計数後に返却する余り玉を取り出す遊技媒体払出部を前記計数機の前面の片側よりに備え、
　前記情報取得装置は、前記遊技媒体払出部と反対側の位置に配置され」ているのに対して、
　引用発明は、「計数後に返却する余り玉を取り出す遊技媒体払出部」を有していないため、「遊技媒体払出部」の配置、及び、携帯電話リーダ３５と「遊技媒体払出部」の配置が、このような配置でない点。
　
＜相違点５＞
　情報取得装置で携帯電話を受け付けたことに基づいて、
　本願補正発明は、「前記表示部に表示制御を行う」のに対して、
　引用発明は、バイブレータの起動信号を該携帯電話５に対して送信するが、ディスプレイ３７に表示制御を行わない点。
　
＜相違点６＞
　貯遊技媒体操作に関して、
　本願補正発明は、「遊技客による貯遊技媒体操作」であるのに対して、
　引用発明は、確認ボタン３８の操作が、遊技客による操作であると明記されていない点。　
　
（５）判断
＜相違点１＞〜＜相違点４＞について
　相違点１〜相違点４は関連するので、まとめて検討する。　
　計数機の表示部をタッチパネルにすることは、原査定の拒絶の理由（平成２３年６月２９日付け拒絶理由通知）において引用文献２として引用された特開２００５−３１９０３３号公報（以下、「引用例２」という。段落【００３０】、図２等参照。）、引用文献３として引用された特開平１１−１７９０３９号公報（以下、「引用例３」という。段落【００３５】、図３等参照。）にも記載されているように周知（以下、「周知技術１」という。）であり、
　「貯留部と表示部との間に遊技媒体を投入するための空間を有」するようにすることも、引用例２（段落【００３０】、図２等参照。）、引用例３（段落【００３６】、図３等参照。）にも記載されているように周知（以下、「周知技術２」という。）であり、
　「計数後に返却する余り玉を取り出す遊技媒体払出部」を設けることも、引用例２（段落【００３０】、図２等参照。）、引用例３（段落【００３６】、図３等参照。）にも記載されているように周知（以下、「周知技術３」という。）であり、
　表示部、挿入口、情報取得装置、遊技媒体払出部をどのように配置するかは、操作性やレイアウト等を考慮して当業者が適宜決定し得る設計的事項に過ぎないから、
　引用発明に上記周知技術１〜３を施すと共に、表示部、挿入口、情報取得装置、遊技媒体払出部の配置を、引用例２、引用例３での配置も参考にしつつ、操作性やレイアウト等を考慮して、上記相違点１〜相違点４に係る本願補正発明の構成とすることは、当業者が容易に成し得る程度のことにすぎない。
　
＜相違点５＞について
　平成２３年９月３０日付け補正却下の決定において引用された特開２００５−３４８９３９号公報（以下、「引用例４」という。段落【０１６９】〜【０１７２】等参照。）には、玉の計数終了後、貯玉処理を行うための会員コードが登録されている物品（「会員カード」が相当）を受け付けたことに基づいて、貯玉処理を行うか否かを選択する表示を行い、貯玉を行うことが選択されると、会員コードと玉計数値を管理装置（Ｔ／Ｃ１０）に送信する点が記載されているから、
　引用発明の貯玉処理を行うための会員コードが登録されている物品である携帯電話５を受ける際に、上記引用例４に記載された技術を適用して、上記相違点５に係る本願補正発明の構成とすることは、当業者が容易に成し得る程度のことにすぎない。
　
＜相違点６＞について
　パチンコ店等の遊技店において、各種操作を行う人を、従業員か遊技客かのどちらかにするのが普通であり、どちらが行うかは操作の内容に応じて決められるものであるところ、
　引用発明における「貯遊技媒体操作」は、通常、遊技客が会員登録を行った携帯電話等を用いて行う操作であるから、「貯遊技媒体操作」は遊技客による操作であるというべきである。
　また、仮に「貯遊技媒体操作」が遊技客による操作でないとしても、「貯遊技媒体操作」を遊技客が行う操作として、上記相違点６に係る本願補正発明の構成とすることは、当業者が容易に成し得る程度のことにすぎない。
　
　そして、本願補正発明の効果は、引用発明、引用例４に記載された技術及び周知技術１〜３から当業者が予測できる範囲のものである。
　
　以上のように、本願補正発明は、引用発明、引用例４に記載された技術及び周知技術１〜３に基づいて、当業者が容易に発明をすることができたものである。
　
　したがって、本願補正発明は、特許法第２９条第２項の規定により、その特許出願の際に独立して特許を受けることができない。 
　
（６）本件補正についてのまとめ
　以上のとおりであるから、本件補正は、平成２３年法律６３号改正附則２条１８項によりなお従前の例によるとされる同法による改正前の特許法１７条の２第６項において準用する同法１２６条５項の規定に違反するので、同法１５９条１項の規定において読み替えて準用する同法５３条１項の規定により却下すべきものである。
　
３．本願発明について
（１）本願発明
　平成２４年１月４日付けの手続補正は上記のとおり却下されたので、請求項１に係る発明は、平成２３年６月６日付け手続補正書により補正された特許請求の範囲に記載されたとおりのものである。
　
　そして、その請求項１により特定される発明は次のとおりである。
「【請求項１】
　計数するための遊技媒体を貯留する貯留部と、前記貯留部の上部に設けられ、タッチパネルからなる表示部を有する計数機であって、
　前記貯留部と前記表示部との間に遊技媒体を投入するための空間を有し、
　遊技客が所持する会員用記録媒体を挿入する挿入口を前記表示部の近傍の位置に配置し、該遊技客が所持する携帯端末に内蔵されたＩＣチップから携帯端末識別情報を取得する情報取得装置を前記挿入口の側部の近傍位置に設け、
　計数後に返却する余り玉を取り出す遊技媒体払出部を前記計数機の前面の片側よりに備え、
　前記情報取得装置は、前記遊技媒体払出部と反対側の位置に配置される
　ことを特徴とする計数機。」（以下、この発明を「本願発明」という。）
　
　一方、原査定の拒絶の理由に引用された特開２００７−２８２６６２号公報（引用例１）に記載された発明は、前記２．（３）に記載したとおりである。
　
（２）対比・判断
　本願発明は、前記２．（２）で検討した本願補正発明から、実質的な変更とならない特定事項を除き、「携帯電話」という記載を上位概念である「携帯端末」という記載にすると共に、
　「制御手段」について、「全体制御を行う制御手段を備え、　
　前記制御手段は、前記情報取得装置で携帯電話を受け付けたことに基づいて、前記表示部に表示制御を行うとともに、前記情報取得装置により前記携帯電話識別情報が取得され、かつ、遊技客による貯遊技媒体操作がなされたならば、計数結果である遊技媒体数の貯遊技媒体処理を貯遊技媒体を管理する管理装置に依頼する」との限定を付加した部分を削除したものである。
　
　そうすると、本願発明は、制御手段に関する構成である前記２．（４）に記載した＜相違点５＞及び＜相違点６＞となる発明特定事項が本願補正発明から除かれたものであるから、本願発明と引用発明との相違点は＜相違点１＞〜＜相違点４＞となり、＜相違点１＞〜＜相違点４＞は上記２．（５）でも検討しているように引用発明に周知技術１〜３を適用して当業者が容易に成し得る事項であるから、
　本願発明は、引用発明及び周知技術１〜３に基づいて、当業者が容易に発明をすることができたものである。
　
(３)むすび 
　以上のとおり、本願発明は、引用発明及び周知技術１〜３に基づいて当業者が容易に発明をすることができたものであり、特許法第２９条第２項の規定により特許を受けることができない。
　
　よって、結論のとおり審決する。
　
　
　なお、出願人は平成２４年６月１３日付けの回答書において、
　「前記表示部に表示制御を行う」を「前記表示部に携帯電話の貯遊技媒体に係る表示制御を行う」に補正した補正案を添付しているが、
　「貯遊技媒体に係る表示制御を行う」点は、前記２．（５）＜相違点５＞でも検討しているように、引用例４に記載されており、
　引用発明の貯玉処理を行うための会員コードが登録されている物品である携帯電話５を受け付けたときに、上記引用例４に記載された技術を適用して、「前記表示部に携帯電話の貯遊技媒体に係る表示制御を行う」構成とすることは、当業者が容易に成し得る程度のことにすぎない。